(57)【特許請求の範囲】
【請求項１】
カラオケ曲の演奏データ、そのカラオケ曲のジャンルデータ、およびカラオケ曲の後奏が始まったことを示す後奏フラグを含むカラオケデータを記憶するカラオケデータ記憶手段と、
前記カラオケデータ記憶手段に記憶されているカラオケデータを読み出し、カラオケ演奏を行う演奏手段と、
カラオケ曲の歌詞テロップを表示する表示部と、
ＣＭ情報を前記ジャンルデータに対応付けて記憶するＣＭ情報記憶手段と、
前記ＣＭ情報を前記表示部に再生表示する再生表示手段と、
前記カラオケデータに基づくカラオケ曲の演奏中に、読み出されたカラオケデータの中から前記後奏フラグを検出することにより、カラオケ曲の後奏の演奏が開始されたことを検出する後奏フラグ検出手段と、を備え、
前記後奏フラグ検出手段により、前記後奏フラグが検出されたことを条件として、前記再生表示手段は、前記演奏手段により演奏されているカラオケデータに含まれるジャンルデータに基づいて、そのジャンルデータに対応付けて記憶されているＣＭ情報を前記ＣＭ情報記憶手段から取得し、カラオケ曲の後奏が開始されたときには、前記表示部にＣＭ情報の再生表示を開始することを特徴とするカラオケ装置。
【請求項２】
前記ＣＭ情報記憶手段は、前記ＣＭ情報に対応付けて、さらに詳細な詳細ＣＭ情報を記憶しており、
前記再生表示手段による前記ＣＭ情報の再生表示開始後に、操作パネルを介してそのＣＭ情報に対する詳細ＣＭ情報の再生表示を要求する詳細ＣＭ情報要求手段と、
その詳細ＣＭ情報要求手段による要求が行われたか否かを検出する要求検出手段と、
その要求検出手段により前記詳細ＣＭ情報の要求が行われたことが検出されたことを条件として、前記再生表示手段は、先に再生表示したＣＭ情報に対応する前記詳細ＣＭ情報を前記ＣＭ情報記憶手段から取得し、前記表示部に再生表示することを特徴とする請求項１に記載のカラオケ装置。
【請求項３】
前記ＣＭ情報の再生表示、若しくは前記詳細ＣＭ情報の再生表示がなされた回数を記録する再生表示回数記録手段を備えたことを特徴とする請求項１又は２に記載のカラオケ装置。
【請求項４】
前記再生表示回数記録手段による記録に基づいて前記ＣＭ情報、若しくは前記詳細ＣＭ情報の内容を更新する更新手段を備えたことを特徴とする請求項３に記載のカラオケ装置。
【発明の詳細な説明】
【０００１】
【発明の属する技術分野】
本発明は、カラオケ演奏が可能なカラオケ装置に関し、特にカラオケ演奏の合間等にＣＭ情報等の種々の情報を提供することのできるカラオケ装置に関する。
【０００２】
【従来の技術】
従来、カラオケ装置はカラオケ演奏を実行することが基本的な機能であるが、最近はそのカラオケ演奏の合間とか演奏中の分割画面にＣｏｍｍｅｒｃｉａｌ  Ｍｅｓｓａｇｅ情報（以下単にＣＭ情報と称す）等、種々の情報を提供する機能も備え、カラオケ装置に付加価値を取り入れている。
【０００３】
【発明が解決しようとする課題】
しかしながら、上述のようなカラオケ演奏以外のＣＭ情報等の提供は、カラオケ利用者の意図に関わらず、情報提供側から一方的に提供するといった片方向のものであり、利用者のニーズに応えるものといった内容ではなく、情報サービスとしては中途半端なものであった。
【０００４】
また、本来カラオケを歌いに来ているはずの利用者にとって、不必要なＣＭ情報を流されると、それは利用者の興味を失わされるだけでなく、特にカラオケ演奏というカラオケ装置本来の機能を中断した上で提供された場合には、かえって利用者を不快にさせることもある。
【０００５】
本発明は、上述した問題点を解決するためになされたものであり、よりカラオケ利用者のニーズにあったＣＭ情報等の種々の情報を効率よく提供することを目的とする。
【０００６】
【課題を解決するための手段】
この目的を達成するためになされた請求項１に記載のカラオケ装置は、カラオケ曲の演奏データ、そのカラオケ曲のジャンルデータ、およびカラオケ曲の後奏が始まったことを示す後奏フラグを含むカラオケデータを記憶するカラオケデータ記憶手段と、前記カラオケデータ記憶手段に記憶されているカラオケデータを読み出し、カラオケ演奏を行う演奏手段と、カラオケ曲の歌詞テロップを表示する表示部と、ＣＭ情報を前記ジャンルデータに対応付けて記憶するＣＭ情報記憶手段と、前記ＣＭ情報を前記表示部に再生表示する再生表示手段と、前記カラオケデータに基づくカラオケ曲の演奏中に、読み出されたカラオケデータの中から前記後奏フラグを検出することにより、カラオケ曲の後奏の演奏が開始されたことを検出する後奏フラグ検出手段と、を備え、前記後奏フラグ検出手段により、前記後奏フラグが検出されたことを条件として、前記再生表示手段は、前記演奏手段により演奏されているカラオケデータに含まれるジャンルデータに基づいて、そのジャンルデータに対応付けて記憶されているＣＭ情報を前記ＣＭ情報記憶手段から取得し、カラオケ曲の後奏が開始されたときには、前記表示部にＣＭ情報の再生表示を行うことを特徴とする。
【０００７】
このような構成のカラオケ装置によれば、カラオケ演奏を実行するという基本的な機能に加え、カラオケ曲の後奏が開始されたときには、再生表示手段が、ＣＭ情報記憶手段に記憶されているＣＭ情報を再生表示する。また、再生表示されるＣＭ情報は、演奏されているカラオケ曲のジャンルに対応する内容となる。
【０００８】
【０００９】
【００１０】
この場合、ＣＭ情報は、カラオケ装置の全ての利用者が違和感を覚えることのない程度の短時間の表示が望ましい。
【００１１】
また、請求項２に記載のカラオケ装置は、前記ＣＭ情報記憶手段は、前記ＣＭ情報に対応付けて、さらに詳細な詳細ＣＭ情報を記憶しており、前記再生表示手段による前記ＣＭ情報の再生表示開始後に、操作パネルを介してそのＣＭ情報に対する詳細ＣＭ情報の再生表示を要求する詳細ＣＭ情報要求手段と、その詳細ＣＭ情報要求手段による要求が行われたか否かを検出する要求検出手段と、その要求検出手段により前記詳細ＣＭ情報の要求が行われたことが検出されたことを条件として、前記再生表示手段は、先に再生表示したＣＭ情報に対応する前記詳細ＣＭ情報を前記ＣＭ情報記憶手段から取得し、前記表示部に再生表示することを特徴とする。
このような構成のカラオケ装置によれば、カラオケ演奏の後奏が開始されたときに再生表示されるＣＭ情報を見て、更にそれについて詳細な情報を知りたい場合には、利用者が詳細ＣＭ情報要求手段により詳細ＣＭ情報を要求すると、先に再生表示したＣＭ情報に対応する詳細ＣＭ情報を再生表示する。
【００１２】
また、請求項３に記載のカラオケ装置は、前記ＣＭ情報の再生表示、若しくは前記詳細ＣＭ情報の再生表示がなされた回数を記録する再生表示回数記録手段を備えたことを特徴とする。
【００１３】
このような構成のカラオケ装置によれば、前述のＣＭ情報をカラオケのリクエストによる曲内容に応じて異ならせると、ＣＭ情報についても提供回数記録手段による提供回数の確認によりどのような世代若しくは層の利用者が多いのか等について認識することができて望ましい。
【００１４】
そして、提供回数記録手段によってなされたＣＭ情報の提供回数若しくは詳細ＣＭ情報の提供回数の記録を確認することにより、カラオケ装置の利用者のニーズを認識することができ、例えば提供回数の多い情報についてはそれに関する内容を追加したり、逆に提供回数の少ない情報については、他の新しい情報と入れ替えたりすることによって、よりカラオケ装置の利用者のニーズに合ったＣＭ情報等の情報の提供サービスを可能とさせることができる。
【００１５】
更に、請求項４に記載のカラオケ装置は、前記再生表示回数記録手段による記録に基づいて前記ＣＭ情報、若しくは前記詳細ＣＭ情報の内容を更新する更新手段を備えたことを特徴とする。
【００１６】
このような構成のカラオケ装置によれば、更新手段は、情報提供回数記録手段による記録に基づいてＣＭ情報若しくは詳細ＣＭ情報の内容を更新するので、カラオケ装置が使用される時間の経過に伴って、より適宜なタイミングで利用者のニーズに合ったＣＭ情報を提供することが可能となる。
【００１７】
【００１８】
【００１９】
【発明の実施の形態】
以下、本発明の実施の形態について、図面を参照して説明する。
【００２０】
図１は、本発明のカラオケ装置の概略を示したブロック構成図である。
【００２１】
カラオケ装置Ａ１は、ＣＰＵ１による制御によって動作するものであり、該ＣＰＵ１は、図示しない制御プログラムを格納したＲＯＭとワークエリアとしてのＲＡＭとで構成され、本発明における更新手段に相当する。
【００２２】
ＣＰＵ１には、カラオケ演奏を実行したり、ＣＭ情報等を再生する再生表示手段としての再生機構が接続されている。具体的には、ＭＩＤＩ（Musical Instrumental Digital Interface）規格若しくはＭＰＥＧ（Moving Picture Expert Group）規格等で構成されたカラオケ演奏データを再生するための再生装置２が接続され、同じくＭＰＥＧ規格で作成されたビデオデータを背景画として再生するための動画再生プレーヤ１０が、ビデオミキサ８を介して接続されている。
【００２３】
また、ＣＰＵ１には、カラオケリクエスト回数、ＣＭ情報再生回数等を記録可能な提供回数記録手段としてのハードディスク３と、利用者が例えば詳細ＣＭ情報の要求信号の入力が可能な詳細ＣＭ情報要求手段としての操作パネル４とが接続されている。なお、この操作パネル４の代わりに図示しないリモコン及びリモコン受光部を詳細ＣＭ情報要求手段としてもよい。また、再生装置２には、マイク１５からの音声とカラオケ演奏音を合成して増幅させるためのアンプ１３が接続され、アンプ１３には、スピーカ１４が接続されている。また、ビデオミキサ８には、上述の動画再生プレーヤ１０と共に、歌詞テロップ、背景画、若しくはＣＭ映像データを再生するＣＲＴ等のディスプレイ１１（表示部に相当する）が接続されている。
【００２４】
なお、ＣＰＵ１は、モデム５を介してホストコンピュータと通信回線２０によって接続されている。
【００２５】
ここで、ハードディスク３に記憶されているＣＭ情報の記憶構成について、図２を参照して説明する。
【００２６】
ハードディスク３には、図２（ａ）に示すように、Ｎ種類のＣＭ情報及び各ＣＭ情報に関する複数の詳細情報とが、それぞれの情報の再生回数をインクリメント可能な形式でテーブル３ａとして記憶されている。即ち、ＣＭ情報１の内容を示すデータが格納されており、該ＣＭ情報１については、詳細ＣＭ情報としての詳細情報Ａないし詳細情報Ｅの内容を示すデータが下位の位置として記憶されている。そして、それぞれＣＭ情報１が再生された回数及び詳細情報Ａないし詳細情報Ｅが再生された回数をインクリメント可能な構成となっている。例えば、図２に示す例においては、ＣＭ情報１は８回再生されたことを示し、更に、該ＣＭ情報１に関する詳細情報については、詳細情報Ａは５回、詳細情報Ｂは１回、詳細情報Ｄは２回再生されたことを示し、詳細情報Ｃ及び詳細情報Ｅは１度も再生されなかったことを示している。
【００２７】
上述の構成は、ＣＭ情報２からＣＭ情報Ｎまで同様である。
【００２８】
そして、ＣＭ情報１からＣＭ情報Ｎの再生については、後述するように、例えば曲のジャンル等によって異ならせるようにすればよい。
【００２９】
また、図２（ｂ）に示すように、カラオケデータは、ジャンルを識別するためのジャンルデータ、演奏音を再生するためのＭＩＤＩ規格の演奏データ、歌詞テロップを表示するための歌詞データ、後奏が始まったことを示す後奏開始フラグとで構成されている。
【００３０】
更に、例えば、図２（ｃ）に示すように、カラオケデータのジャンルを識別するために、ポップスは「１」、ロックは「２」、演歌は「３」、その他のジャンルは「４」としてカラオケデータにおけるジャンルデータに記録している。
【００３１】
続いて、図３のフローチャートを参照して、上記構成を有するカラオケ装置Ａ１の、特に本発明に関わるＣＭ情報の再生に関する動作を主に説明する。
【００３２】
カラオケ装置Ａ１において、ＣＰＵ１は、操作パネル４から利用者によるカラオケリクエスト入力があったことを検出すると（Ｓ１：ＹＥＳ）、ハードディスク３内のカラオケデータを読み出し、演奏データを再生装置２に送り、演奏音を再生させ、歌詞データをビデオミキサ８に送り、それぞれ、スピーカ１４からの演奏音とディスプレイ１１からの歌詞テロップを同期させながら再生し、カラオケ演奏を実行する（Ｓ２）。
【００３３】
そして、ＣＰＵ１は、ハードディスク３から読み出したカラオケデータ中の後奏データを検知することにより、カラオケ演奏が後奏に入ったかどうか判断する。これは、図２（ｂ）に示したカラオケデータ中の後奏開始フラグを読み出すことによって判断する。そして、後奏が開始したことを検知すると（Ｓ３：ＹＥＳ）、該カラオケデータがポップスであるか否かを判断する（Ｓ４）。このカラオケデータのジャンルの判断については、該カラオケデータを読み出したときに、該データ中のジャンルデータに「１」が記録されているのか、「２」が記録されているのか、「３」が記録されているのか、「４」が記録されているのかを識別することによって判断する。
【００３４】
判断の結果、演奏しているカラオケデータのジャンルデータが「１」であるためにジャンルがポップスであると判断した場合には（Ｓ４：ＹＥＳ）、ＣＰＵ１は、ハードディスク３内のテーブル３ａからＣＭ情報１を読み出し、例えば図５に示すようにディスプレイ１１に再生表示する（Ｓ５）。そして、該テーブル３ａ内のＣＭ情報１の再生回数領域を１回インクリメントする（Ｓ６）。
【００３５】
一方、演奏しているカラオケデータのジャンルがポップスではなく（Ｓ４：ＮＯ）、ロックである場合には（Ｓ７：ＹＥＳ）、ハードディスク３内のテーブル３ａからＣＭ情報２を読み出し、ディスプレイ１１に再生表示する（Ｓ８）。そして、該テーブル３ａ内のＣＭ情報２の再生回数領域を１回インクリメントする（Ｓ６）。
【００３６】
また、演奏しているカラオケデータのジャンルがロックではなく（Ｓ７：ＮＯ）、演歌である場合には（Ｓ９：ＹＥＳ）、ハードディスク３内のテーブル３ａからＣＭ情報３（図示せず）を読み出し、ディスプレイ１１に再生表示する（Ｓ１０）。そして、該テーブル３ａ内のＣＭ情報３の再生回数領域を１回インクリメントする（Ｓ６）。
【００３７】
また、演奏しているカラオケデータのジャンルが演歌ではなく（Ｓ９：ＮＯ）、あらかじめ設定してあるジャンルのいずれにも属さない場合には（Ｓ１１）、ハードディスク３内のテーブル３ａからＣＭ情報Ｎを読み出し、ディスプレイ１１に再生表示する（Ｓ１２）。そして、該テーブル３ａ内のＣＭ情報Ｎの再生回数領域を１回インクリメントする（Ｓ６）。
【００３８】
その後、ＣＰＵ１は、操作パネル４から詳細情報の表示要求があるかどうかを判断する（Ｓ１３）。そして、該要求があった旨検知すると（Ｓ１３：ＹＥＳ）、例えば図６に示すように、前述の図５において表示された内容から更に詳細なＣＭ情報を再生表示させる（Ｓ１４）。それから、ＣＰＵ１は、ハードディスク３内のテーブル３ａにおける詳細情報の再生回数記憶領域を１回分インクリメントする（Ｓ１５）。
【００３９】
その後、ＣＰＵ１は、ハードディスク３内のテーブル３ａの内容を更新する時期か否かを判断する（Ｓ１６）。その結果、テーブル３ａ内のデータを更新する時期であると判断した場合（Ｓ１６：ＹＥＳ）、ＣＰＵ１は、例えば図２（ａ）に示すＣＭ情報１における「詳細情報Ｃ」及び「詳細情報Ｅ」の再生回数が０であることを検知し、該詳細情報が記憶されている領域に、ホストコンピュータから新しい詳細情報を呼び出し、モデム５を介して受信して、それぞれ、図７に示すように「詳細情報Ｆ」及び「詳細情報Ｇ」に入れ替え、記憶させる（Ｓ１７）。即ち、更新手段としてのＣＰＵ１が、提供回数記録手段としてのハードディスク３内におけるテーブル３ａ内の記録に基づいて詳細情報を更新するのである。なお、この場合、必要があれば、ＣＭ情報を更新してもよい。
【００４０】
その後、スタートに戻る。
【００４１】
以上説明したカラオケ装置Ａ１によれば、利用者が該カラオケ装置Ａ１にてカラオケを楽しんでいる時に、ＣＭ情報が表示されたとしても、特に興味がなければそのまま流しておけばよく、また、該表示されたＣＭ情報のうちで、特に興味をひくものがあれば、利用者は、更にリモコン若しくは入力部５にて更に詳細な情報を要求することができ、利用者のニーズを満たすことができる。
【００４２】
更に、定期的に、利用者のニーズが低い情報については新しい情報に更新されるので、時間の経過と共によりカラオケ装置の利用者のニーズに合ったＣＭ情報の提供が可能となる。
【００４３】
なお、本実施例は上述した構成に限らず、本発明の趣旨を逸脱しない範囲で種々の態様か可能である。例えば、本実施例においてはＣＭ情報として静止画を表示する構成をとったが、ＣＭ情報を、例えばＭＰＥＧ規格に対応した動画として構成しても良い。
【００４４】
また、例えばリクエストされたカラオケデータのジャンル（曲調）等と、それに応じて再生されるＣＭ情報の種類の組み合わせを種々に異ならせてもよい。例えば、女性ボーカリストのカラオケ曲がリクエストされた場合には該曲の後奏において例えば、化粧品に関するＣＭ情報を再生させるといったような構成をとってもよい。
【００４５】
また、本実施例においては、カラオケ演奏が後奏に入った時にＣＭ情報を表示するように構成したが、それに限らず、カラオケ演奏が実行されている合間の、例えばリクエスト入力が１０秒以上なかったときにＣＭ情報を表示させるように構成してもよい。
【００４６】
また、本実施例においては、ＣＭ情報を表示するとしたが、ＣＭ情報に限らず、例えばコンサート情報等他のサービス情報であってもよい。
【００４７】
【発明の効果】
以上説明したことから明かなように、請求項１に記載のカラオケ装置によれば、カラオケ演奏を実行するという基本的な機能に加え、カラオケ曲の後奏が開始されたときに、再生表示手段が、ＣＭ情報記憶手段に記憶されているＣＭ情報を再生表示するので、利用者に違和感無くＣＭ情報を提供できる。また、再生表示されるＣＭ情報は、演奏されているカラオケ曲のジャンルに対応する内容となる。
【００４８】
また、請求項２に記載のカラオケ装置によれば、カラオケ演奏の後奏が開始されたときに再生表示されるＣＭ情報を見て、更にそれについて詳細な情報を知りたい場合には、利用者が詳細ＣＭ情報要求手段により詳細ＣＭ情報を要求すると、先に再生表示したＣＭ情報に対応する詳細ＣＭ情報を再生表示するので、より利用者のニーズに応じたＣＭ情報を提供することができる。
【００４９】
更に、請求項３に記載のカラオケ装置によれば、提供回数記録手段によってなされたＣＭ情報の提供回数若しくは詳細ＣＭ情報の提供回数の記録を確認することにより、カラオケ装置の利用者のニーズを認識することができ、よりカラオケ装置の利用者のニーズに合ったＣＭ情報の提供サービスを可能とさせることができる。
【００５０】
また、請求項４に記載のカラオケ装置によれば、更新手段は、情報提供回数記録手段による記録に基づいて該第１の情報若しくは該第２の情報の内容を更新するので、より適宜なタイミングで利用者のニーズに合ったＣＭ情報等の種々の情報を提供することが可能となる。
【図面の簡単な説明】
【図１】  本実施例のカラオケ装置の概略を示すブロック図である。
【図２】  ハードディスク内のデータの記憶構成を示す図である。
【図３】  カラオケ装置におけるＣＭ情報の再生動作を示すフローチャートである。
【図４】  カラオケ装置におけるＣＭ情報の再生動作を示すフローチャートである。
【図５】  ディスプレイにおける表示内容を示す図である。
【図６】  ディスプレイにおける表示内容を示す図である。
【図７】  外部記憶部内のＣＭ情報の記憶構成を示す図である。
【符号の説明】
１    ＣＰＵ
２    再生装置
３    ハードディスク
４    操作パネル
Ａ１  カラオケ装置
【図１】
0003940762.tif 000002
【図２】
0003940762.tif 000003
【図３】
0003940762.tif 000004
【図４】
0003940762.tif 000005
【図５】
0003940762.tif 000006
【図６】
0003940762.tif 000007
【図７】
0003940762.tif 000008